(57)【要約】      （修正有）【課題】複数の基地局から成る無線セルラ電気通信ネットワークの少なくとも１つの第１のセル及び少なくとも１つの第２のセルにおいて転送される信号の、移動する乗物内に位置する移動端末による受信を可能にする装置を提供する。【解決手段】装置は、第１のエリアを含む第１のセルにおいて信号を転送する第１の基地局を識別する手段と、第２のエリアを含む第２のセルにおいて信号を転送する第２の基地局を識別する手段と、第１の基地局及び第２の基地局によって第１のセル及び第２のセルにおいて転送される信号を取得する手段と、取得された信号を結合して結合信号にする手段と、移動する乗物内に位置する移動端末に結合信号を転送する手段とを具備する。【選択図】図１
2008228283.tif 000002
【特許請求の範囲】
【請求項１】
複数の基地局から成る無線セルラ電気通信ネットワークの少なくとも１つの第１のセル及び少なくとも１つの第２のセルにおいて転送される信号の、移動する乗物内に位置する移動端末による受信を可能にする装置であって、前記移動する乗物は第１のエリアから第２のエリアまで移動する
装置において、
前記信号の受信を可能にする装置は、
前記第１のエリアを含む第１のセルにおいて信号を転送する第１の基地局を識別する手段と、
前記第２のエリアを含む第２のセルにおいて信号を転送する第２の基地局を識別する手段と、
前記第１の基地局及び前記第２の基地局によって前記第１のセル及び前記第２のセルにおいて転送される信号を取得する手段と、
前記取得された信号を結合して結合信号にする手段と、
前記移動する乗物内に位置する前記移動端末に前記結合信号を転送する手段と
を具備することを特徴とする、信号の受信を可能にする装置。
【請求項２】
前記移動する乗物の位置を表す情報を取得する手段と、
前記移動する乗物の位置を表す前記情報から、第１の係数及び第２の係数を確定する手段と、
前記第１のセル及び前記第２のセルにおいて転送される前記取得された信号を結合する前に、前記第１のセルにおいて転送される前記信号を前記第１の係数によって乗算し、且つ、前記第２のセルにおいて転送される前記信号を前記第２の係数によって乗算する手段と
をさらに具備することを特徴とする、請求項１に記載の装置。
【請求項３】
前記移動する乗物内に位置する前記移動端末によって転送される信号を取得する手段と、
前記第１の基地局及び第２の基地局に対し、前記移動する乗物内に位置する前記移動端末によって転送される前記信号を転送する手段と
をさらに具備することを特徴とする、請求項２に記載の装置。
【請求項４】
前記移動する乗物の位置を表す前記情報から第３の係数及び第４の係数を確定する手段と、
前記第１の基地局に転送される前記信号を前記第３の係数によって乗算し、且つ前記第２の基地局に転送される前記信号を前記第４の係数によって乗算する手段と、
前記第３の係数によって乗算された前記信号を前記第１の基地局に転送し、前記第４の係数によって乗算された前記信号を前記第２の基地局に転送する手段と
をさらに具備することを特徴とする、請求項３に記載の装置。
【請求項５】
前記移動する乗物は建物のエレベータキャビンであり、
前記移動する乗物内に位置する前記移動端末に転送される前記結合信号は、前記エレベータキャビン内に位置するアンテナを介して転送され、
前記移動端末によって転送される前記信号は、前記アンテナを介して取得され、
前記第１のエリアは、前記エレベータキャビンが以前に停止した始点階に位置し、
前記第２のエリアは、前記エレベータキャビンの目的階である
ことを特徴とする、請求項４に記載の装置。
【請求項６】
エレベータコントローラから、前記エレベータキャビンの目的の位置を表す情報を受け取る手段をさらに具備することを特徴とする、請求項５に記載の装置。
【請求項７】
前記第１の係数及び前記第３の係数は、以下の式に従って計算される変数Ｘａから確定され、
【数１】
2008228283.tif 000019
ここで、ｙは前記エレベータキャビンの位置であり、ｙａは第１の所定位置であり、ｙｊは前記目的階の位置であることを特徴とする、請求項６に記載の装置。
【請求項８】
前記第１の係数及び前記第３の係数は、以下の式に従って計算され、
ｃｏｅｆｆＤＬｉ＝ｃｏｅｆｆＵＬｉ＝１−Ｘａ
ここで、ｃｏｅｆｆＤＬｉは前記第１の係数であり、ｃｏｅｆｆＵＬｉは前記第３の係数であることを特徴とする、請求項７に記載の装置。
【請求項９】
前記第１の係数及び前記第３の係数は、以下の式に従って計算され、
【数２】
2008228283.tif 000020
ここで、Δは所定値であり、ｃｏｅｆｆＤＬｉは前記第１の係数であり、ｃｏｅｆｆＵＬｉは前記第３の係数であることを特徴とする、請求項７に記載の装置。
【請求項１０】
前記第１の所定位置は、
前記エレベータキャビンが以前に停止した前記始点階の位置と、前記目的階の位置との間に位置するか、又は、
前記エレベータキャビンの前記目的の位置を表す情報が受け取られた位置であるか、又は、
前記エレベータキャビンが以前に停止した前記始点階の位置であることを特徴とする、請求項６〜９のいずれか一項に記載の装置。
【請求項１１】
前記第２の係数及び前記第４の係数は、以下の式に従って計算される変数Ｘｂから確定され、
【数３】
2008228283.tif 000021
ここで、ｙは前記エレベータキャビンの位置であり、ｙｂは第２の所定位置であり、ｙｊは前記目的階の位置であることを特徴とする、請求項６〜１０のいずれか一項に記載の装置。
【請求項１２】
前記第２の係数及び前記第４の係数は、以下の式に従って計算され、
ｃｏｅｆｆＤＬｊ＝ｃｏｅｆｆＵＬｊ＝Ｘｂ
ここで、ｃｏｅｆｆＤｌｊは前記第２の係数であり、ｃｏｅｆｆＵＬｊは前記第４の係数であることを特徴とする、請求項１１に記載の装置。
【請求項１３】
前記第２の係数及び前記第４の係数は、以下の式に従って計算され、
【数４】
2008228283.tif 000022
ここで、Δは所定値であり、ｃｏｅｆｆＤＬｊは前記第２の係数であり、ｃｏｅｆｆＵＬｊは前記第４の係数であることを特徴とする、請求項１２に記載の装置。
【請求項１４】
前記第２の所定位置は、
前記エレベータキャビンが以前に停止した前記始点階の位置と、前記目的階の位置との間に位置するか、又は、
前記エレベータキャビンの前記目的の位置を表す情報が受け取られた位置であるか、又は、
前記エレベータキャビンが以前に停止した前記始点階の位置である
ことを特徴とする、請求項１１〜１３のいずれか一項に記載の装置。
【請求項１５】
前記建物は、第３の基地局が第３のセルにおいて信号を転送する第３の階を備え、
前記装置は、
前記第３の基地局によって前記第３のセルにおいて転送される信号を取得する手段と、
前記エレベータキャビンの位置を表す前記情報から、第５の係数を確定する手段と、
前記第３のセルにおいて転送される前記信号を、前記第５の係数によって乗算する手段と
をさらに具備し、
前記第５の係数によって乗算された前記信号は結合されて結合信号になる
ことを特徴とする、請求項５〜１４のいずれか一項に記載の装置。
【請求項１６】
前記エレベータキャビンの位置を表す前記情報から、第６の係数を確定する手段と、
前記移動端末によって転送される前記信号を、前記第６の係数によって乗算する手段と、
前記第６の係数によって乗算された前記信号を、前記第３の基地局に転送する手段と
をさらに具備することを特徴とする、請求項１７に記載の装置。
【請求項１７】
前記装置は、前記第３の階の位置を表す情報をエレベータコントローラから受け取る手段をさらに具備し、
前記第３の階は、前記エレベータキャビンの前記目的の次の、前記エレベータキャビンの別の目的階であることを特徴とする、請求項５〜１６のいずれか一項に記載の装置。
【請求項１８】
前記第５の係数及び前記第６の係数は、以下の式に従って計算される変数Ｘｃから確定され、
【数５】
2008228283.tif 000023
ここで、ｙは前記エレベータキャビンの位置であり、ｙｃは第３の所定位置であり、ｙｊは前記第３の階の位置であることを特徴とする、請求項１７に記載の装置。
【請求項１９】
前記第５の係数及び前記第６の係数は、以下の式に従って計算され、
ｃｏｅｆｆＤＬｌ＝ｃｏｅｆｆＵＬｌ＝Ｘｃ
ここで、ｃｏｅｆｆＤＬｌは前記第５の係数であり、ｃｏｅｆｆＵＬｌは前記第６の係数であることを特徴とする、請求項１８に記載の装置。
【請求項２０】
前記第５の係数及び前記第６の係数は、以下の式に従って計算され、
【数６】
2008228283.tif 000024
ここで、Δは所定値であり、ｃｏｅｆｆＤＬｌは前記第５の係数であり、ｃｏｅｆｆＵＬｌは前記第６の係数であることを特徴とする、請求項１６に記載の装置。
【請求項２１】
前記第３の所定位置は、
前記エレベータキャビンが以前に停止した前記始点階の位置と、前記目的階の位置との間に位置するか、又は、
前記第３の階の位置を表す情報が受け取られた位置であるか、又は、
前記エレベータキャビンが以前に停止した前記始点階の位置である
ことを特徴とする、請求項１６〜１８のいずれか一項に記載の装置。
【請求項２２】
前記第３の階は、前記エレベータキャビンの前記目的の次の、別の目的階ではなく、
前記第５の係数及び前記第６の係数はヌル値に等しい
ことを特徴とする、請求項１６に記載の装置。
【請求項２３】
複数の基地局から成る無線セルラ電気通信ネットワークの少なくとも１つの第１のセル及び少なくとも１つの第２のセルにおいて転送される信号の、移動する乗物内に位置する移動端末による受信を可能にする方法であって、前記移動する乗物は第１のエリアから第２のエリアまで移動する
方法において、
前記信号の受信を可能にする方法は、
前記第１のエリアを含む第１のセルにおいて信号を転送する第１の基地局を識別するステップと、
前記第２のエリアを含む第２のセルにおいて信号を転送する第２の基地局を識別するステップと、
前記第１の基地局及び前記第２の基地局によって前記第１のセル及び前記第２のセルにおいて転送される信号を取得するステップと、
前記取得された信号を結合して結合信号にするステップと、
前記移動する乗物内に位置する前記移動端末に前記結合信号を転送するステップと
を具備することを特徴とする、信号の受信を可能にする方法。
【請求項２４】
プログラマブルデバイスに直接ロード可能であり得るコンピュータプログラムであって、プログラマブルデバイス上で実行される時、請求項２３に記載の方法のステップを実施する命令又はコード部を含む、コンピュータプログラム。
【発明の詳細な説明】
【技術分野】
【０００１】
本発明は、無線セルラ電気通信ネットワークの少なくとも第１のセル及び第２のセルにおいて、無線セルラ電気通信ネットワークの第１の基地局及び第２の基地局によりそれぞれ転送される信号を、移動する乗物内に位置する移動端末が受信することを可能にする、装置及び方法に関する。
【０００２】
無線セルラ電気通信システムは、世界中に広く行き渡っている。それらは、無線セルラ電気通信システムの基地局間のハンドオーバ手順により、顧客に対し、顧客が移動している場合であっても遠隔の電気通信装置と通信し続ける可能性を提供する。
【０００３】
いくつかの場合では、特に、移動端末が、電磁波形の伝播を減衰させるような、移動する乗物に位置している場合、通信は、受信される電磁信号の喪失により、又は無線セルラ電気通信システムの基地局間のハンドオーバの失敗により、突然中断される。
【０００４】
エレベータキャビンのような移動する乗物は、電磁波形の伝播を減衰させる。エレベータキャビンのほとんどはスチールから建造されているか、又はコンクリート製のエレベータシャフト内に収容されており、それによりファラディーケージが形成される。無線波形は、エレベータシャフトの外部からエレベータキャビン内に侵入することができず又はエレベータキャビンからエレベータキャビンの外部に出ることもできないか、若しくは侵入し出ることができる無線波形は非常に減衰した波形である。エレベータキャビンのドアが閉じている時、エレベータキャビンの内部に位置する移動端末の通信は低下する。それは、それら端末が、エレベータキャビン外部からもはやいかなる信号も受信することができないためである。さらに、エレベータキャビンのドアが急に開く場合、著しく急速に変動するセル間干渉がもたらされ、これに関連して、無線セルラ電気通信システム内で提供されるサービスが劣化することになる。
【０００５】
他のいくつかの場合では、特に、移動端末が、電磁波形の伝播を減衰させる電車又は地下鉄のような移動する乗物に位置する場合では、通信はまた、受信される電磁信号の喪失により、又は無線セルラ電気通信システムの基地局間のハンドオーバの失敗により、突然中断される。
【０００６】
【特許文献１】国際公開第２００５／０５３１８９号パンフレット（段落［００１７］〜［００２６］）
【特許文献２】欧州特許出願公開第１２８２３２７号明細書（段落［０００４］〜［０００８］、［００１３］〜［００２５］）
【０００７】
したがって、本発明の目的は、移動する乗物内に位置する移動端末が、遠隔の電気通信装置との通信を確立し且つ／又は受け取り且つ／又は継続するのを可能にする、方法及びシステムを提供することである。
【０００８】
この目的のために、本発明は、複数の基地局から成る無線セルラ電気通信ネットワークの少なくとも１つの第１のセル及び少なくとも１つの第２のセルにおいて転送される信号の、移動する乗物内に位置する移動端末による受信を可能にする装置であって、移動する乗物は第１のエリアから第２のエリアまで移動する、装置において、当該信号の受信を可能にする装置は、
第１のエリアを含む第１のセルにおいて信号を転送する第１の基地局を識別する手段と、
第２のエリアを含む第２のセルにおいて信号を転送する第２の基地局を識別する手段と、
第１の基地局及び第２の基地局によって第１のセル及び第２のセルにおいて転送される信号を取得する手段と、
取得された信号を結合して結合信号にする手段と、
移動する乗物内に位置する移動端末に結合信号を転送する手段と
を具備することを特徴とする、信号の受信を可能にする装置に関する。
【０００９】
本発明はまた、複数の基地局から成る無線セルラ電気通信ネットワークの少なくとも１つの第１のセル及び少なくとも１つの第２のセルにおいて転送される信号の、移動する乗物内に位置する移動端末による受信を可能にする方法であって、移動する乗物は第１のエリアから第２のエリアまで移動する、方法において、当該信号の受信を可能にする方法は、
第１のエリアを含む第１のセルにおいて信号を転送する第１の基地局を識別するステップと、
第２のエリアを含む第２のセルにおいて信号を転送する第２の基地局を識別するステップと、
第１の基地局及び第２の基地局によって第１のセル及び第２のセルにおいて転送される信号を取得するステップと、
取得された信号を結合して結合信号にするステップと、
移動する乗物内に位置する移動端末に結合信号を転送するステップと
を具備することを特徴とする、信号の受信を可能にする方法に関する。
【００１０】
このため、移動端末が移動する乗物内に位置する場合であっても、移動端末は、その移動端末が以前に位置していたセルにおいて第１の基地局によって転送される信号を受信することができ、且つ、その移動端末が後に位置する可能性のある第２のセルにおいて第２の基地局によって転送される信号を受信することができる。
【００１１】
特定の特徴によれば、装置は、
移動する乗物の位置を表す情報を取得する手段と、
移動する乗物の位置を表す情報から第１の係数及び第２の係数を確定する手段と、
第１のセル及び第２のセルにおいて転送される信号を結合する前に、第１のセルにおいて転送される信号を第１の係数によって乗算し、且つ第２のセルにおいて転送される信号を第２の係数によって乗算する手段と
をさらに具備する。
【００１２】
このため、移動する乗物内に位置する移動端末は、第１のセル及び第２のセルにおいて転送される信号を監視することができる。信号は、それぞれ、移動する乗物の位置を表す情報から確定される第１の係数及び第２の係数によって乗算されるため、移動端末によって測定される第１のセル及び第２のセルにおける信号の測定値は、移動する乗物の位置を表す。そして、移動端末を、最終的なハンドオーバ手順又はセル再選択プロセスのために準備することができる。移動する乗物が第１のエリアから離れてゆく時、第１の係数値は減少し、第２の係数値は増加する。これら信号のレベル変更のために、第１のセルにおいて転送される信号が減少し、第２のセルにおいて転送される信号が増加し、それにより、移動する乗物が未だ目的エリアに到着していない場合であっても、第２の基地局は、移動端末に対するハンドオーバ又はセル再選択の良い候補となる。
【００１３】
特定の特徴によれば、装置は、
移動する乗物内に位置する移動端末によって転送される信号を取得する手段と、
第１の基地局及び第２の基地局に対し、移動する乗物内に位置する移動端末によって転送される信号を転送する手段と
をさらに具備する。
【００１４】
このため、移動端末によって転送される信号を、移動する乗物の移動中に第１の基地局及び第２の基地局によって受信することができる。そして、遠隔の電気通信装置との通信を確立し且つ／又は受け取り且つ／又は継続することが可能である。
【００１５】
特定の特徴によれば、装置は、
移動する乗物の位置を表す情報から第３の係数及び第４の係数を確定する手段と、
第１の基地局に転送される信号を第３の係数によって乗算し、且つ、第２の基地局に転送される信号を第４の係数によって乗算する手段と、
第３の係数によって乗算された信号を第１の基地局に転送し、第４の係数によって乗算された信号を第２の基地局に転送する手段と
をさらに具備する。
【００１６】
このように、信号が、それぞれ、移動する乗物の位置を表す情報から確定される第３の係数及び第４の係数によって乗算されるため、第１の基地局及び第２の基地局によって受信される信号の出力は、移動する乗物の位置を表す。移動する乗物が第１のエリアから離れてゆく時、第３の係数値は減少し、第４の係数値は増加する。これら信号出力の変更のために、第１のセルにおいて転送される信号は減少し、第２のセルにおいて転送される信号は増加し、そのため、移動する乗物が未だ目的エリアに到着していない場合であっても、第２の基地局は、移動端末に対するハンドオーバ又はセル再選択の良い候補となる。そして、移動端末は、複数の基地局に対し、測定報告又はセル再選択又はハンドオーバ通知を転送することができる。
【００１７】
特定の特徴によれば、移動する乗物は建物のエレベータキャビンであり、移動する乗物内に位置する移動端末に転送される結合信号は、エレベータキャビン内に位置するアンテナを介して転送され、移動端末によって転送される信号は、アンテナを介して取得され、第１のエリアは、エレベータキャビンが以前に停止した始点階に位置し、第２のエリアは、エレベータキャビンの目的階である。
【００１８】
このため、移動端末がエレベータキャビン内に位置し、且つエレベータキャビンのドアが閉じている場合であっても、移動端末は、その移動端末が以前に位置していたセルにおいて第１の基地局によって転送される信号を受信することができ、また、その移動端末が位置する可能性のある第２のセルにおいて第２の基地局によって転送される信号を受信することができる。
【００１９】
特定の特徴によれば、装置は、エレベータキャビンの目的の位置を表す情報をエレベータコントローラから受け取る手段をさらに具備する。
【００２０】
このため、エレベータキャビンの目的の位置を表す情報は正確である。
【００２１】
特定の特徴によれば、第１の係数及び第３の係数は、以下の式に従って計算される変数Ｘａから確定され、
【００２２】
【数１】
2008228283.tif 000003
【００２３】
ここで、ｙはエレベータキャビンの位置であり、ｙａは第１の所定位置であり、ｙｊは目的階の位置である。
【００２４】
このため、移動端末は、セル間の信号レベルの遷移を円滑に検出し、こうしたレベルが何らかの所定レベルを超えた場合に、ハンドオーバ又はセル再選択をトリガすることができる。ｙａを適切に選択することにより、始点階に位置する基地局から受信される信号の品質が、始点階においてエレベータキャビンのドアが閉じた後、長い間維持される。これにより、エレベータキャビンが第１の所定位置に到着する前に、他のセルに対するハンドオーバ手順を完了する追加の時間が与えられる。ｙａを適切に選択することにより、始点階に位置する基地局から受信される信号の品質を、目的階においてエレベータキャビンのドアが開く前に低減することができる。これにより、始点階に位置する基地局によってもたらされる目的階における干渉のレベルが最小限になる。
【００２５】
特定の特徴によれば、第１の係数及び第３の係数は、以下の式に従って計算され、
ｃｏｅｆｆＤＬｉ＝ｃｏｅｆｆＵＬｉ＝１−Ｘａ
ここで、ｃｏｅｆｆＤＬｉは第１の係数であり、ｃｏｅｆｆＵＬｉは第３の係数である。
【００２６】
このため、第１の係数及び第３の係数の値が線形に変更される。
【００２７】
特定の特徴によれば、第１の係数及び第３の係数は、以下の式に従って計算され、
【００２８】
【数２】
2008228283.tif 000004
【００２９】
ここで、Δは所定値であり、ｃｏｅｆｆＤＬｉは第１の係数であり、ｃｏｅｆｆＵＬｉは第３の係数である。
【００３０】
このため、デシベルで表される信号の出力が線形に変更される。エレベータキャビン内に位置する移動端末により、建物の異なる階においてエレベータキャビンの外部に位置する基地局から受信される、信号の出力レベルの変動は、１つの同じ階に位置する他の基地局から、その同じ階においてエレベータキャビンの外部に位置し且つこれら他の基地局間で移動している他の移動端末によって受信される、信号の出力レベルの変動を再現するものである。そのため、エレベータキャビン内に位置する移動端末の通信及びハンドオーバの品質は、エレベータキャビンの外部に位置する移動端末の通信及びハンドオーバの通常の質と同様である。
【００３１】
特定の特徴によれば、第１の所定位置は、エレベータキャビンが以前に停止した始点階の位置と目的階の位置との間に位置するか、又はエレベータキャビンの目的の位置を表す情報が受け取られた位置であるか、又はエレベータキャビンが以前に停止した始点階の位置である。
【００３２】
このため、第１の所定位置が、エレベータキャビンが以前に停止した始点階の位置と目的階の位置との間に位置する場合、移動端末に且つ／又は移動端末により第１の所定位置に到着するまで転送される信号の高送信出力を維持することができる。これは、たとえば始点階と目的階とを隔てる距離が大きい場合に可能である。
【００３３】
第１の所定位置が、エレベータキャビンの目的の位置を表す情報が受け取られた位置である場合、目的地が既知となるとすぐに、移動端末に且つ／又は移動端末により転送される信号の送信出力を調整することができ、それにより、第１の係数及び第３の係数の円滑な変更が可能になる。
【００３４】
第１の所定位置が、エレベータキャビンが以前に停止した始点階の位置である場合、第１の係数及び第３の係数は円滑に変更される。
【００３５】
特定の特徴によれば、第２の係数及び第４の係数は、以下の式に従って計算される変数Ｘｂから確定され、
【００３６】
【数３】
2008228283.tif 000005
【００３７】
ここで、ｙはエレベータキャビンの位置であり、ｙｂは第２の所定位置であり、ｙｊは目的階の位置である。
【００３８】
このため、第２の基地局は、信号レベルの遷移を円滑に検出し、こうしたレベルが何らかの所定レベルと交差する場合にハンドオーバ又はセル再選択をトリガすることができる。ｙｂを適切に選択することにより、目的階に位置する基地局から受信される信号の品質は、始点階においてエレベータキャビンのドアが閉じた後にかなり低下する。これにより、目的階に位置する基地局によってもたらされる始点階における干渉のレベルが最小限になる。ｙｂを適切に選択することにより、目的階に位置する基地局から受信される信号の品質を、目的階においてエレベータキャビンのドアが開く前に上昇させることができる。これにより、エレベータキャビンが目的階の位置に到着する前に、目的セルとのハンドオーバ手順を完了するための追加の時間が与えられる。
【００３９】
特定の特徴によれば、第２の係数及び第４の係数は、以下の式に従って計算され、
ｃｏｅｆｆＤＬｊ＝ｃｏｅｆｆＵＬｊ＝Ｘｂ
ここで、ｃｏｅｆｆＤＬｊは第２の係数であり、ｃｏｅｆｆＵＬｊは第４の係数である。
【００４０】
このため、第２の係数及び第４の係数の値が線形に変更される。
【００４１】
特定の特徴によれば、第２の係数及び第４の係数は、以下の式に従って計算され、
【００４２】
【数４】
2008228283.tif 000006
【００４３】
ここで、Δは所定値であり、ｃｏｅｆｆＤＬｊは第２の係数であり、ｃｏｅｆｆＵＬｊは第４の係数である。
【００４４】
このため、デシベルで表される信号の出力が線形に変更される。エレベータキャビン内に位置する移動端末により、建物の異なる階においてエレベータキャビンの外部に位置する基地局から受信される、信号の出力レベルの変動は、１つの同じ階に位置する他の基地局から、その同じ階においてエレベータキャビンの外部に位置し且つこれら他の基地局間で移動している他の移動端末によって受信される、信号の出力レベルの変動を再現するものである。エレベータキャビン内に位置する移動端末の通信及びハンドオーバの品質は、エレベータキャビンの外部に位置する移動端末の通信及びハンドオーバの通常の品質と同様である。
【００４５】
特定の特徴によれば、第２の所定位置は、エレベータキャビンが以前に停止した始点階の位置と目的階の位置との間に位置するか、又はエレベータキャビンの目的の位置を表す情報が受け取られた位置であるか、又はエレベータキャビンが以前に停止した始点階の位置である。
【００４６】
このため、第２の所定位置が、エレベータキャビンが以前に停止した始点階の位置と目的階の位置との間に位置する場合、移動端末に且つ／又は移動端末により第２の所定位置に到着するまで転送される信号の送信を回避することができる。これは、たとえば始点階と目的階とを隔てる距離が大きい場合に可能である。
【００４７】
第２の所定位置が、エレベータキャビンの目的の位置を表す情報が受け取られた位置である場合、目的が既知となるとすぐに、移動端末に且つ／又は移動端末によって転送される信号の送信出力を調整することができ、そのため、第２の係数及び第４の係数の円滑な変更が可能になる。
【００４８】
第２の所定位置が、エレベータキャビンが以前に停止した始点階の位置である場合、第２の係数及び第４の係数は円滑に変更される。
【００４９】
特定の特徴によれば、建物は、第３の基地局が第３のセルにおいて信号を転送する第３の階を備え、装置は、
第３の基地局によって第３のセルにおいて転送される信号を取得する手段と、
エレベータキャビンの位置を表す情報から第５の係数を確定する手段と、
第３のセルにおいて転送される信号を第５の係数によって乗算する手段と
をさらに具備し、
第５の係数によって乗算された信号は結合されて結合信号になる。
【００５０】
このため、移動端末がエレベータキャビン内に位置する場合であっても、移動端末は、その移動端末が以前に位置していたセルにおいて転送される信号のような、複数の基地局によって転送される信号と、目的の第２のセルにおいて第２の基地局によって転送される信号と、中間階又はエレベータキャビンが後に到着する別の目的階に位置するもののような他のセルにおいて転送される信号とを受信することができる。
【００５１】
特定の特徴によれば、装置は、
エレベータキャビンの位置を表す情報から第６の係数を確定する手段と、
移動端末によって転送される信号を第６の係数によって乗算する手段と、
第６の係数によって乗算された信号を第３の基地局に転送する手段と
をさらに具備する。
【００５２】
このため、信号がそれぞれ、移動する乗物の位置を表す情報から確定される第５の係数及び第６の係数によって乗算されるため、第３の基地局によって受信される信号の出力は、移動する乗物の位置を表す。これら信号の出力の変更のために、第３の基地局は、移動端末に対するハンドオーバ又はセル再選択の良い候補となり得る。そして、移動端末は、複数の基地局に対し測定報告又はセル再選択又はハンドオーバ通知を転送することができる。
【００５３】
特定の特徴によれば、装置は、第３の階の位置を表す情報をエレベータコントローラから受け取る手段をさらに具備し、第３の階は、エレベータキャビンの目的の次の、エレベータキャビンの別の目的階である。
【００５４】
このため、装置に対し他の目的階が通知され、そのため装置は、エレベータキャビンが他の目的階に到着するかなり前に係数を確定することができる。
【００５５】
特定の特徴によれば、第５の係数及び第６の係数は、以下の式に従って計算される変数Ｘｃから確定され、
【００５６】
【数５】
2008228283.tif 000007
【００５７】
ここで、ｙはエレベータキャビンの位置であり、ｙｃは第３の所定位置であり、ｙｊは第３の階の位置である。
【００５８】
このため、第３の基地局又は移動端末は、信号レベルの遷移を円滑に検出し、こうしたレベルが何らかの所定レベルと交差する時にハンドオーバ又はセル再選択をトリガすることができる。ｙｃを適切に選択することにより、第３の階に位置する基地局によって転送される信号は、始点階においてエレベータキャビンのドアが閉じたはるかに後に受信される。これにより、第３の階に位置する基地局によってもたらされる始点階における干渉のレベルが最小限になる。ｙｃを適切に選択することにより、第３の階に位置する基地局から受信される信号の品質を、目的階においてエレベータキャビンのドアが開く前に向上させることができる。これにより、エレベータキャビンが第３の階の位置に到着する前に、目的階において信号を転送する基地局とのハンドオーバ手順を完了する追加の時間が与えられる。
【００５９】
特定の特徴によれば、第５の係数及び第６の係数は、以下の式に従って計算され、
ｃｏｅｆｆＤＬｌ＝ｃｏｅｆｆＵＬｌ＝Ｘｃ
ここで、ｃｏｅｆｆＤＬｌは第５の係数であり、ｃｏｅｆｆＵＬｌは第６の係数である。
【００６０】
このため、第５の係数及び第６の係数の値は線形に変更される。
【００６１】
特定の特徴によれば、第５の係数及び第６の係数は、以下の式に従って計算され、
【００６２】
【数６】
2008228283.tif 000008
【００６３】
ここで、Δは所定値であり、ｃｏｅｆｆＤＬｌは第５の係数であり、ｃｏｅｆｆＵＬｌは第６の係数である。
【００６４】
このため、デシベルで表される信号の出力が線形に変更される。エレベータキャビン内に位置する移動端末により、建物の異なる階においてエレベータキャビンの外部に位置する基地局から受信される、信号の出力の変動は、１つの同じ階に位置する他の基地局から、その同じ階においてエレベータキャビンの外部に位置し且つこれら他の基地局間で移動している他の移動端末によって受信される、信号の出力レベルの変動を再現するものである。エレベータキャビン内に位置する移動端末の通信及びハンドオーバの品質は、エレベータキャビンの外部に位置する移動端末の通信及びハンドオーバの通常の品質と同様である。
【００６５】
特定の特徴によれば、第３の所定位置は、エレベータキャビンが以前に停止した始点階の位置と目的階の位置との間に位置するか、又は第３の階の位置を表す情報が受け取られた位置であるか、又はエレベータキャビンが以前に停止した始点階の位置である。
【００６６】
このため、第３の所定位置が、エレベータキャビンが以前に停止した始点階の位置と第３の階の位置との間に位置する場合、移動端末に且つ／又は移動端末により第３の所定位置に到着するまで転送される信号の送信を回避することができる。これは、たとえば始点階と第３の階とを隔てる距離が大きい場合に可能である。
【００６７】
第３の所定位置が、移動する乗物の他の目的を表す情報が受け取られた位置である場合、他の目的が既知となるとすぐに、移動端末に且つ／又は移動端末によって転送される信号の送信出力を調整することができ、それにより第５の係数及び第６の係数の円滑な変更が可能になる。
【００６８】
第３の所定位置が、エレベータキャビンが以前に停止した始点階の位置である場合、第５の係数及び第６の係数は円滑に変更される。
【００６９】
特定の特徴によれば、第３の階は、エレベータキャビンの目的の次の、別の目的階ではなく、第５の係数及び第６の係数はヌル値に等しい。
【００７０】
このため、たとえばエレベータキャビンが停止しない中間階に対し、移動端末によって行われる、信号の測定は適当でない。移動端末を、エレベータキャビンが停止しない中間階において信号を転送する第３の基地局との最終的なハンドオーバ手順又はセル再選択プロセスに対して準備することはできない。
【００７１】
さらに別の態様によれば、本発明は、プログラマブルデバイスに直接ロード可能であり得るコンピュータプログラムであって、プログラマブルデバイスによって実行される時、本発明による方法のステップを実施する命令又はコード部を含む、コンピュータプログラムに関する。
【００７２】
コンピュータプログラムに関する特徴及び利点は、本発明による方法及び装置に関する上述したものと同じであるため、ここでは繰り返さない。
【００７３】
本発明の特徴は、一例としての実施形態の以下の説明を読むことからより明確になるであろう。この説明は、添付図面を参照してなされている。
【００７４】
図１は、本発明による、移動する乗物用の無線電気通信システムを備える建物の概観を表す図である。
【００７５】
本発明を、移動する乗物が、建物の１つの階から別の階まで移動する、建物内に位置するエレベータキャビンである一例を使用して開示する。本発明はまた、１つの駅から次の駅まで移動する電車又は地下鉄にも適用可能である。
【００７６】
建物ＢＬＤは、エレベータキャビンＥＬＥＶが変位移動しているエレベータシャフト６０を備える。エレベータキャビンＥＬＥＶは、エレベータコントローラ２０によって制御されるエレベータエンジン１０によって、建物ＢＬＤの１つの階Ｆｌｋ（ｋ＝１〜Ｋ）から別の階Ｆｌｉ（ｉ＝１〜Ｋ且つｉ≠ｋ）（ここで、Ｋが建物ＢＬＤの階の数である）まで移動している。
【００７７】
各階Ｆｌｋ（ｋ＝１〜Ｋ）は、エレベータコントローラ２０にリンクされるＢＴｋ（ｋ＝１〜Ｋ）と示す少なくとも１つの呼出しボタンを備える。
【００７８】
少なくとも２つの階Ｆｌｋ（ｋ＝１〜Ｋ）は、少なくとも１つの基地局ＢＳｋを備えることが好ましい。好ましくは且つ非限定的に、各階Ｆｌｋ（ｋ＝１〜Ｋ）は、少なくとも１つの基地局ＢＳｋを備える。各基地局ＢＳｋにより、その基地局ＢＳｋによって管理されるセル１５ｋ内に位置する移動端末３０が、図１には示さない遠隔の電気通信装置との通信を確立又は受け取り又は継続することを可能にする。
【００７９】
ここで、基地局ＢＳｋのセル１５ｋは複数の階をカバーし得ることが留意されなければならない。
【００８０】
図１では、明確にするために３つの階Ｆｌ１、Ｆｌｋ及びＦｌＫを示す。基地局ＢＳ１は、１５１と示すセルを管理し、基地局ＢＳｋは、１５ｋと示すセルを管理し、基地局ＢＳＫは、セル１５Ｋを管理する。図１には、３つの階Ｆｌｋ及び３つの基地局ＢＳｋしか示さないが、建物ＢＬＤにはより重要な数の階Ｆｌｋ及び基地局ＢＳｋが含まれることを理解することができる。
【００８１】
図１には、２つの移動端末３０ａ及び３０ｂしか示さないが、建物ＢＬＤにはより重要な数の移動端末３０が含まれることを理解することができる。移動端末３０ａはエレベータキャビンＥＬＥＶ内に位置する。
【００８２】
エレベータキャビンＥＬＥＶは、少なくとも１つの目的階の選択を可能にするキーボードＫＢＤを備える。キーボードＫＢＤは、エレベータコントローラ２０にリンクされる。
【００８３】
キーボードＫＢＤ及び呼出しボタンＢＴ１〜ＢＴＫから、エレベータコントローラ２０は、エレベータキャビンＥＬＥＶの目的階Ｆｌｋを確定し、関連する命令をエレベータエンジン１０に与えてキャビンを目的階まで引っ張り、関連する指示をエレベータキャビンＥＬＥＶに与えてエレベータキャビンＥＬＥＶのドアを開閉する。
【００８４】
各基地局ＢＳｋ（ｋ＝１〜Ｋ）は、以下コンバイナＣＢＮと呼ぶ、異なる階に位置する少なくとも２つのセルにおいて転送される複数の信号を結合するデバイスにリンクされる。
【００８５】
基地局ＢＳｋ（ｋ＝１〜Ｋ）は、無線セルラ電気通信ネットワークの基地局である。
【００８６】
基地局ＢＳｋ（ｉ＝１〜Ｋ）は、図１に示さない電気通信ネットワークにリンクされるアクセスゲートウェイ４０にリンクされることが好ましい。
【００８７】
電気通信ネットワークは、例として且つ非限定的に、専用有線ネットワークであるか、公衆交換回線網のような公衆ネットワークの一部であるか、ＩＰベースネットワークであるか、無線ネットワークであるか、非同期転送モードネットワークであるか、又は、上述したネットワークの組合せである。
【００８８】
アクセスゲートウェイ４０はまた、モビリティ管理エンティティ（Mobility Management Entity）又はサービングＧＰＲＳサポートノード（Serving GPRS Support Node）又はフォーリンエージェント又はビジターロケーションレジスタ（Visitor Location Register）又はパブリックランドモバイルネットワーク（Public Land Mobile Network）サーバとも呼ばれる。
【００８９】
基地局ＢＳｋ（ｋ＝１〜Ｋ）はまた、ノード又はノードＢ又は拡張ノードＢ又はアクセスポイントとも呼ばれる。
【００９０】
移動端末３０は、携帯電話、携帯情報端末又はパーソナルコンピュータのような端末である。
【００９１】
コンバイナＣＢＮは、たとえば、エレベータサーバ２０の近くに又はエレベータキャビンＥＬＥＶ内に位置する。
【００９２】
移動端末３０は、アイドルモードである時、基地局ＢＳｉを介する通信を確立し又は受け取ることができるように、セル１５のうちから、その基地局ＢＳｉによって転送される最強の信号を移動端末が受信するものを、連続的に選択しなければならない。こうしたプロセスをセル再選択プロセスと呼ぶ。
【００９３】
移動端末３０は、遠隔の端末と進行中の通信に関与している時、基地局ＢＳｉを介する進行中の通信を継続することができるように、セル１５のうちから、その基地局ＢＳｉによって転送される最強の信号を移動端末が受信するものを、連続的に選択しなければならない。こうしたプロセスをハンドオーバ手順と呼ぶ。
【００９４】
図２は、移動する乗物用の無線電気通信システムの種々の装置間の相互接続を示すブロック図である。
【００９５】
エレベータコントローラ２０は、専用の配線システムを介して、呼出しボタンＢＴ１〜ＢＴＫ、キーボードＫＢＤ、エレベータエンジン１０にリンクされる。
【００９６】
エレベータコントローラ２０は、キーボードＫＢＤ及び呼出しボタンＢＴ１〜ＢＴＫからエレベータキャビンＥＬＥＶの目的階Ｆｌｋを少なくとも１つ確定し、エレベータキャビンＥＬＥＶを目的階Ｆｌｋまで移動させるために、確定された目的階に従ってエレベータエンジン１０に命令する。
【００９７】
エレベータコントローラ２０は、コンバイナＣＢＮにもリンクされる。本発明によれば、エレベータコントローラ２０は、コンバイナＣＢＮに対し、エレベータキャビンＥＬＥＶの目的階Ｆｌｉを示すメッセージを転送する。具現化の一変形形態では、メッセージは目的階Ｆｌのリストを含み、このリストは好ましくは順序付きである。
【００９８】
エレベータコントローラ２０はまた、エレベータキャビンＥＬＥＶが移動しているか否かとエレベータのドアが開いているか否かとを示すメッセージもコンバイナＣＢＮに転送し、且つ、たとえば定期的に、シャフト６０内におけるエレベータキャビンＥＬＥＶの位置を表す指示もまた転送する。
【００９９】
基地局ＢＳ１〜ＢＳＫは、ネットワーク５０を介して互いにリンクされる。ネットワーク５０は、例として且つ非限定的に、専用有線ネットワーク、公衆交換回線網のような公衆ネットワークの一部、ＩＰベースネットワーク、無線ネットワーク、非同期転送モードネットワーク又は上述したネットワークの組合せである。
【０１００】
アクセスゲートウェイもまたネットワーク５０にリンクされる。
【０１０１】
基地局ＢＳ１によってセル１５１内に位置する移動端末３０に転送されるダウンリンク信号ＳＤＬ１は、デュプレクサＤＰＬＸ１及びコンバイナＣＢＮに転送される。
【０１０２】
デュプレクサＤＰＬＸ１は、基地局ＢＳ１のアンテナＡｎｔＢＳ１に接続され、セル１５１においてダウンリンク信号を放射するアンテナＡｎｔＢＳ１に、ダウンリンク信号ＳＤＬ１を転送する。
【０１０３】
アンテナＡｎｔＢＳ１はまた、セル１５１内に位置する移動端末３０から受信されるアップリンク信号を受信し、デュプレクサＤＰＬＸ１に中継する。
【０１０４】
セル１５１内に位置する移動端末３０から受信される信号は、加算器Σ１に転送され、加算器Σ１は、セル１５１内に位置する移動端末３０から受信される信号を、コンバイナＣＢＮによって生成される信号ＳＵＬ１と合計する。合計された信号は、基地局ＢＳ１の受信モジュールに転送される。
【０１０５】
基地局ＢＳｋによってセル１５ｋ内に位置する移動端末３０に転送されるダウンリンク信号ＳＤＬｋは、デュプレクサＤＰＬＸｋ及びコンバイナＣＢＮに転送される。
【０１０６】
デュプレクサＤＰＬＸｋは、基地局ＢＳｋのアンテナＡｎｔＢＳｋに接続され、セル１５ｋにおいてダウンリンク信号を放射するアンテナＡｎｔＢＳｋに、ダウンリンク信号ＳＤＬｋを転送する。
【０１０７】
アンテナＡｎｔＢＳｋはまた、セル１５ｋ内に位置する移動端末３０から受信されるアップリンク信号を受け取り、デュプレクサＤＰＬＸｋに中継する。
【０１０８】
セル１５ｋ内に位置する移動端末３０から受信される信号は、加算器Σｋに転送され、加算器Σｋは、セル１５ｋ内に位置する移動端末３０から受信される信号を、コンバイナＣＢＮによって生成される信号ＳＵＬｋと合計する。合計された信号は、基地局ＢＳｋの受信モジュールに転送される。
【０１０９】
基地局ＢＳＫによってセル１５Ｋ内に位置する移動端末３０に転送されるダウンリンク信号ＳＤＬＫは、デュプレクサＤＰＬＸＫ及びコンバイナＣＢＮに転送される。
【０１１０】
デュプレクサＤＰＬＸＫは、基地局ＢＳＫのアンテナＡｎｔＢＳＫに接続され、セル１５Ｋにおいてダウンリンク信号を放射するアンテナＡｎｔＢＳＫに、ダウンリンク信号ＳＤＬＫを転送する。
【０１１１】
アンテナＡｎｔＢＳＫはまた、セル１５Ｋ内に位置する移動端末３０から受信されるアップリンク信号を受信し、デュプレクサＤＰＬＸＫに中継する。
【０１１２】
セル１５Ｋ内に位置する移動端末３０から受信される信号は、加算器ΣＫに転送され、加算器ΣＫは、セル１５Ｋ内に位置する移動端末３０から受信される信号を、コンバイナＣＢＮによって生成される信号ＳＵＬＫと合計する。合計された信号は、基地局ＢＳＫの受信モジュールに転送される。
【０１１３】
コンバイナＣＢＮは、エレベータキャビンＥＬＥＶ内に位置するアンテナＡｎｔＥにリンクされる。
【０１１４】
本発明の具現化の好ましい形態では、信号ＳＤＬ１、ＳＤＬｋ、ＳＤＬＫ及びＳＵＬ１、ＳＵＬｋ、ＳＵＬＫは、アナログＲＦ信号又は光信号である。
【０１１５】
本発明の別の具現化形態では、信号ＳＤＬ１、ＳＤＬｋ、ＳＤＬＫ及びＳＵＬ１、ＳＵＬｋ、ＳＵＬＫは、デジタルベースバンド信号であり、デュプレクサＤＰＬＸ１、ＤＰＬＫｋ、ＤＰＬＸＫはまた、ＲＦ信号又は光信号から／ＲＦ信号又は光信号へデジタルベースバンド信号を変換する手段を含む。
【０１１６】
図３は、本発明によるコンバイナのブロック図である。
【０１１７】
コンバイナＣＢＮは、基地局ＢＳ１〜ＢＳＫからそれぞれダウンリンク信号ＳＤＬ１〜ＳＤＬＫを受信する。
【０１１８】
ダウンリンク信号ＳＤＬ１〜ＳＤＬＫは、乗算器ＭＤＬ１〜ＭＤＬＫによってそれぞれの係数ｃｏｅｆｆＤＬ１〜ｃｏｅｆｆＤＬＫとそれぞれ乗算される。
【０１１９】
乗算された信号は、加算回路ΣＤＬによって合計される。合計された信号は、アンテナＡｎｔＥに接続されるデュプレクサＤＰＬＸＣＢＮに転送され、アンテナＡｎｔＥは、エレベータキャビンＥＬＥＶ内にその合計された信号を放射する。
【０１２０】
エレベータキャビンＥＬＥＶ内に位置する移動端末３０によって放出される信号は、アンテナＡｎｔＥによって受信され、デュプレクサＤＰＬＸＣＢＮに転送される。
【０１２１】
エレベータキャビンＥＬＥＶ内に位置する移動端末３０によって放出される信号は、Ｋ回複製される。
【０１２２】
複製された信号は、それぞれの信号ＳＤＬ１〜ＳＤＬＫを形成するために、乗算器ＭＵＬ１〜ＭＵＬＫによってそれぞれの係数ｃｏｅｆｆＵＬ１〜ｃｏｅｆｆＵＬＫとそれぞれ乗算される。
【０１２３】
コンバイナＣＢＮは、バス３０１によって互いに接続されるコンポーネントと、図４に開示するようなプログラムによって制御されるプロセッサ３００とをさらに備える。
【０１２４】
バス３０１は、プロセッサ３００を、リードオンリメモリＲＯＭ３０２、ランダムアクセスメモリＲＡＭ３０３及びエレベータインタフェース３０５にリンクする。
【０１２５】
ここで、プロセッサ３００、リードオンリメモリＲＯＭ３０２、ラダムアクセスメモリＲＡＭ３０３は、一変形形態では、以下に開示するようにプロセッサ３００によって実行されるものと同じ動作を実行する、１つ又はいくつかの専用集積回路の形態で実装されるということが留意されなければならない。
【０１２６】
乗算器ＭＵＬ１〜ＭＵＬＫ及びＭＤＬ１〜ＭＤＬＫによって完了されるタスクは、一変形形態では、プロセッサ３００による命令として具現化されるということが留意されなければならない。
【０１２７】
メモリ３０３は、変数を受け取るように意図されたレジスタと、図４に開示するようなアルゴリズムに関連するプログラムの命令とを含む。
【０１２８】
リードオンリメモリ３０２は、図４のアルゴリズムを実装するプログラムの命令を含む。
【０１２９】
プロセッサ３００は、エレベータインタフェース３０５を介して、エレベータコントローラ２０から、エレベータキャビンＥＬＥＶの目的階Ｆｌｉを示すメッセージを受け取る。具現化の一変形形態では、メッセージは、目的階Ｆｌのリストを含む。このリストは、好ましくは順序付きである。
【０１３０】
プロセッサ４００はまた、エレベータインタフェース４０５を介して、エレベータキャビンＥＬＥＶが移動しているか否か、エレベータキャビンの位置又は始点階と目的階との間のキャビンの相対位置、始点階及び目的階の位置、及びエレベータキャビンＥＬＥＶのドアが開いているか否かを示すメッセージも受け取る。
【０１３１】
本発明によれば、プロセッサ３００は、エレベータコントローラ２０から受け取られるメッセージを使用して、係数ｃｏｅｆｆＵＬ１〜ｃｏｅｆｆＵＬＫ及びｃｏｅｆｆＤＬ１〜ｃｏｅｆｆＤＬＫを確定する。
【０１３２】
図４は、本発明による、異なる階に位置する少なくとも複数のセルにおいて転送される信号を結合するデバイスによって実行されるアルゴリズムを表す。
【０１３３】
本アルゴリズムは、より正確にはコンバイナＣＢＮのプロセッサ３００によって実行される。
【０１３４】
ステップＳ４００において、プロセッサ３００は、エレベータインタフェース３０５を介して、エレベータコントローラ２０によって転送されるメッセージの受け取りを検査する。このメッセージは、エレベータキャビンＥＬＥＶの目的階を示すか又は目的階Ｆｌのリスト（好ましくは順序付きのリスト）を含む。
【０１３５】
ステップＳ４００において、エレベータキャビンＥＬＥＶの目的階又は目的階Ｆｌの受け取られたリストを示すメッセージが受け取られる場合、その内容がメモリＲＡＭ３０３に格納される。
【０１３６】
次のステップＳ４０１において、プロセッサ３００は、少なくとも１つの第１の基地局と、少なくとも１つの第２の基地局とを識別する。
【０１３７】
第１の基地局は、始点階Ｆｌｉを含むセルにおいて信号を転送する基地局ＢＳｉである。
【０１３８】
第２の基地局は、目的階Ｆｌｊを含むセルにおいて信号を転送する基地局ＢＳｊである。
【０１３９】
ステップＳ４００において受け取られたメッセージが、Ｌ個の目的階Ｆｌｊ１、Ｆｌｊ２〜ＦｌｊＬのリストを含む場合、プロセッサ３００は、少なくとも１つの第１の基地局と、少なくとも１つの第２の基地局と、少なくとも１つの第３の基地局とを識別する。
【０１４０】
第１の基地局は、始点階Ｆｌｉを含むセルにおいて信号を転送する基地局ＢＳｉである。
【０１４１】
第２の基地局は、目的階Ｆｌｊ１を含むセルにおいて信号を転送する基地局である。
【０１４２】
第３の基地局は、目的階Ｆｌｊ２を含むセルにおいて信号を転送する基地局である。
【０１４３】
次のステップＳ４０２において、プロセッサ３００は、シャフト内におけるエレベータキャビンＥＬＥＶの位置と、エレベータキャビンＥＬＥＶが以前に停止した始点階の位置と、目的階の位置とを取得する。すなわち、以下に開示するＸａ、Ｘｂ及びＸｃを取得する。
【０１４４】
本発明の具現化の第３の形態によれば、プロセッサ３００は、メッセージが受け取られるエレベータキャビンＥＬＥＶの位置を記憶する。
【０１４５】
各位置は、エレベータコントローラ２０に転送される。
【０１４６】
例として、各位置は、建物ＢＬＤの１階ＦＬ１からのメートルで表される座標である。
【０１４７】
次のステップＳ４０３において、プロセッサ３００は、係数ｃｏｅｆｆＵＬ１〜ｃｏｅｆｆＵＬＫ及びｃｏｅｆｆＤＬ１〜ｃｏｅｆｆＤＬＫを確定する。
【０１４８】
第１の係数及び第３の係数は、以下の式に従って計算される変数Ｘａから確定される。
【０１４９】
【数７】
2008228283.tif 000009
【０１５０】
ここで、ｙはエレベータキャビンの位置であり、ｙａは第１の所定位置であり、ｙｊは目的階Ｆｌｊの位置である。
【０１５１】
本発明の具現化の第１の形態によれば、第１の所定位置は、エレベータキャビンが以前に停止した始点階Ｆｌｉの位置と目的階ＦＬｊの位置との間に位置する。
【０１５２】
本発明の具現化の第２の形態によれば、第１の所定位置は、エレベータキャビンの目的の位置を表す情報が受け取られた位置である。
【０１５３】
本発明の具現化の第３の形態によれば、第１の所定位置は、エレベータキャビンが以前に停止した始点階Ｆｌｉの位置である。
【０１５４】
具現化の第１の形態、第２の形態及び第３の形態の第１の変形形態によれば、第１の係数及び第３の係数は以下に等しい。
ｃｏｅｆｆＤＬｉ＝ｃｏｅｆｆＵＬｉ＝１−Ｘａ
ここで、ｃｏｅｆｆＤＬｉは、基地局ＢＳｉによって第１のセルにおいて転送される信号を乗算するために使用される第１の係数であり、ｃｏｅｆｆＵＬｉは、基地局ＢＳｉに転送される信号を乗算するために使用される第３の係数である。
【０１５５】
具現化の第１の形態、第２の形態及び第３の形態の第２の変形形態によれば、第１の係数及び第３の係数は以下に等しい。
【０１５６】
【数８】
2008228283.tif 000010
【０１５７】
ここで、Δは所定値である。
【０１５８】
第２の係数及び第４の係数は、以下の式に従って計算される変数Ｘｂから確定される。
【０１５９】
【数９】
2008228283.tif 000011
【０１６０】
ここで、ｙｂは第２の所定位置である。
【０１６１】
本発明の具現化の第１の形態によれば、第２の所定位置は、エレベータキャビンが以前に停止した始点階Ｆｌｉの位置と目的階ＦＬｊの位置との間に位置する。
【０１６２】
本発明の具現化の第２の形態によれば、第２の所定位置は、エレベータキャビンの目的の位置を表す情報が受け取られた位置である。
【０１６３】
本発明の具現化の第３の形態によれば、第２の所定位置は、エレベータキャビンが以前に停止した始点階Ｆｌｉの位置である。
【０１６４】
具現化の第１の形態、第２の形態及び第３の形態の第１の変形形態によれば、第２の係数及び第４の係数は以下に等しい。
ｃｏｅｆｆＤＬｊ＝ｃｏｅｆｆＵＬｊ＝Ｘｂ
ここで、ｃｏｅｆｆＤＬｊは、基地局ＢＳｊによって第１のセルにおいて転送される信号を乗算するために使用される第２の係数であり、ｃｏｅｆｆＵＬｊは、基地局ＢＳｊに転送される信号を乗算するために使用される第４の係数である。
【０１６５】
第５の係数、第６の係数及び他の係数は、以下のように確定される。
【０１６６】
【数１０】
2008228283.tif 000012
【０１６７】
具現化の第１の形態、第２の形態及び第３の形態の第２の変形形態によれば、第１の係数及び第３の係数は以下に等しい。
【０１６８】
【数１１】
2008228283.tif 000013
【０１６９】
ここで、ｃｏｅｆｆＤＬｊは、基地局ＢＳｊによって第１のセルにおいて転送される信号を乗算するために使用される第２の係数であり、ｃｏｅｆｆＵＬｊは、基地局ＢＳｊに転送される信号を乗算するために使用される第４の係数である。
【０１７０】
第５の係数、第６の係数及び他の係数は、以下のように確定される。
【０１７１】
【数１２】
2008228283.tif 000014
【０１７２】
ステップＳ４００において受け取られるメッセージが、Ｌ個の目的階Ｆｌｊ１、Ｆｌｊ２〜ＦｌｊＬのリストを含む場合、始点階Ｆｌｉとリストの第１の目的階Ｆｌｊ１とに対して使用される第１の係数、第２の係数、第３の係数及び第４の係数は、上述したように確定される。リストの第２の目的階Ｆｌｊ２に対して使用される第５の係数及び第６の係数は、以下のように確定される。
【０１７３】
【数１３】
2008228283.tif 000015
【０１７４】
ここで、ｙｃは第３の所定位置である。
【０１７５】
本発明の具現化の第１の形態によれば、第３の所定位置は、エレベータキャビンが以前に停止した始点階Ｆｌｉの位置と目的階ＦＬｊ２の位置との間に位置する。
【０１７６】
本発明の具現化の第２の形態によれば、第３の所定位置は、階ＦＬｊ２の位置を表す情報が受け取られた位置である。
【０１７７】
本発明の具現化の第３の形態によれば、第３の所定位置は、エレベータキャビンが以前に停止した始点階Ｆｌｉの位置である。
【０１７８】
具現化の第１の形態、第２の形態及び第３の形態の第１の変形形態によれば、第５の係数及び第６の係数は以下に等しい。
ｃｏｅｆｆＤＬｊ２＝ｃｏｅｆｆＵＬｊ２＝Ｘｃ
ここで、ｃｏｅｆｆＤＬｊ２は、基地局ＢＳｊ２によって第３のセルにおいて転送される信号を乗算するために使用される第５の係数であり、ｃｏｅｆｆＵＬｊ２は、基地局ＢＳｊ２に転送される信号を乗算するために使用される第６の係数である。
【０１７９】
他の係数は、以下のように確定される。
【０１８０】
【数１４】
2008228283.tif 000016
【０１８１】
ただしｌ＝１〜Ｌである。
具現化の第１の形態、第２の形態及び第３の形態の第２の変形形態によれば、第１の係数及び第３の係数は以下に等しい。
【０１８２】
【数１５】
2008228283.tif 000017
【０１８３】
ここで、ｃｏｅｆｆＤＬ２は、基地局ＢＳｊ２によって第１のセルにおいて転送される信号を乗算するために使用される第５の係数であり、ｃｏｅｆｆＵＬｊ２は、基地局ＢＳｊ２に転送される信号を乗算するために使用される第６の係数である。
【０１８４】
他の係数は、以下のように確定される。
【０１８５】
【数１６】
2008228283.tif 000018
【０１８６】
ただしｌ＝１〜Ｌである。
一変形形態では、順序付きリストに含まれる第３の目的階、第４の目的階、又はさらなる目的階において信号を転送する基地局ＢＳに転送されるか又は基地局ＢＳから受信される信号に対して適用される係数を、ヌル値にセットする代りに、第５の係数及び第６の係数に対して開示した方法に類似の方法で計算することができる、ということも留意されなければならない。
【０１８７】
次のステップＳ４０４において、プロセッサ４００は、係数ｃｏｅｆｆＵＬ１〜ｃｏｅｆｆＵＬＫ及びｃｏｅｆｆＤＬ１〜ｃｏｅｆｆＤＬＫを乗算器ＭＵＬ１〜ＭＵＬＫ及びＭＵＬ１〜ＭＵＬＫに転送する。
【０１８８】
次のステップＳ４０５において、プロセッサ３００は、エレベータキャビンＥＬＥＶが移動しているか否かを検査する。エレベータコントローラ２０は、エレベータキャビンＥＬＥＶが移動しているか否か、又は、エレベータキャビンＥＬＥＶが停止しているか否かを示すメッセージを、コンバイナＣＢＮに転送する。
【０１８９】
エレベータキャビンＥＬＥＶが移動している場合、プロセッサ３００はステップＳ４０２に戻る。プロセッサ３００は、ステップＳ４０２〜Ｓ４０４によって構成されるループを実行し、受け取られたエレベータキャビンＥＬＥＶの位置に従って係数ｃｏｅｆｆＵＬ１〜ｃｏｅｆｆＵＬＫ及びｃｏｅｆｆＤＬ１〜ｃｏｅｆｆＤＬＫを変更する。
【０１９０】
エレベータキャビンＥＬＥＶが停止している場合、プロセッサ３００はステップＳ４０６に進む。
【０１９１】
ステップＳ４０６において、プロセッサ３００は、エレベータコントローラ２０から、エレベータＥＬＥＶのドアが開いていることを示すメッセージが受け取られるか否かを検査する。
【０１９２】
エレベータＥＬＥＶのドアが開いていることを示すメッセージが受け取られる場合、プロセッサ３００はステップＳ４０７に進む。そうでない場合、プロセッサ３００はステップＳ４０６に戻る。
【０１９３】
ステップＳ４０７において、プロセッサ３００は、始点階の位置を、ステップＳ４０６においてエレベータキャビンＥＬＥＶが停止した目的階の位置としてセットする。すなわち、変数ｙｉの値を変数ｙｊの値にセットする。
【０１９４】
プロセッサ３００はまた、目的階の位置を、次の目的階の位置としてセットする。すなわち、変数ｙｉの値を目的階のリストにおける次の目的階である変数ｙｉ＋１の値にセットする。プロセッサ３００は、新たな始点階を、ステップＳ４０６においてエレベータキャビンＥＬＥＶが停止した目的階としてセットし、ステップＳ４０６においてエレベータキャビンＥＬＥＶが停止した目的階を目的階のリストから除去する。
【０１９５】
次のステップＳ４０８において、プロセッサ３００は、エレベータコントローラ２０から、エレベータＥＬＥＶのドアが閉じていることを示すメッセージが受け取られるか否かを検査する。
【０１９６】
エレベータＥＬＥＶのドアが閉じていることを示すメッセージが受け取られる場合、プロセッサ３００はステップＳ４００に戻る。そうでない場合、プロセッサ３００はステップＳ４０８に戻る。
【０１９７】
その後、プロセッサ３００はステップＳ４００に戻る。
【０１９８】
当然ながら、本発明の範囲から逸脱することなく、上述した本発明の実施形態に対し多くの変更を行うことができる。
【図面の簡単な説明】
【０１９９】
【図１】本発明による、移動する乗物用の無線電気通信システムを備える建物の概観を表す図である。
【図２】移動する乗物用の無線電気通信システムの種々の装置間の相互接続を示すブロック図である。
【図３】本発明による、異なる階に位置する少なくとも２つのセルにおいて転送される信号を結合するデバイスのブロック図である。
【図４】本発明による、異なる階に位置する少なくとも複数のセルにおいて転送される信号を結合するデバイスによって実行されるアルゴリズムを表す図である。
【図１】
2008228283.tif 000025
【図２】
2008228283.tif 000026
【図３】
2008228283.tif 000027
【図４】
2008228283.tif 000028
【外国語明細書】
2008228283.tif 000029
2008228283.tif 000030
2008228283.tif 000031
2008228283.tif 000032
2008228283.tif 000033
2008228283.tif 000034
2008228283.tif 000035
2008228283.tif 000036
2008228283.tif 000037
2008228283.tif 000038
2008228283.tif 000039
2008228283.tif 000040
2008228283.tif 000041
2008228283.tif 000042
2008228283.tif 000043
2008228283.tif 000044
2008228283.tif 000045
2008228283.tif 000046
2008228283.tif 000047
2008228283.tif 000048
2008228283.tif 000049
2008228283.tif 000050
2008228283.tif 000051
2008228283.tif 000052
2008228283.tif 000053
2008228283.tif 000054
2008228283.tif 000055
2008228283.tif 000056
2008228283.tif 000057
2008228283.tif 000058
2008228283.tif 000059
2008228283.tif 000060
2008228283.tif 000061
2008228283.tif 000062
2008228283.tif 000063